(57)【特許請求の範囲】
【請求項１】
コネクタ嵌合方向（Ｑ）にバネ付勢され且つ該バネ付勢に抗してコネクタ離脱方向（Ｒ）に移動する機械的な半嵌合検知装置としての合成樹脂製のスライダ（４）を有する雄コネクタ（２）と、前記スライダ（４）を前記コネクタ離脱方向（Ｒ）にスライドさせつつ前記雄コネクタ（２）にコネクタ嵌合する雌コネクタ（３）とを備え、前記スライダ（４）の作用によって前記雄コネクタ（２）と前記雌コネクタ（３）との半嵌合を検知する半嵌合検知コネクタ（１）であって，
前記雌コネクタ（３）は、コネクタ嵌合室（１１）を有する合成樹脂製の雌型コネクタハウジング（１０）と、該雌型コネクタハウジング（１０）の後部から収容係止される複数の雄型の端子（１２）と、該複数の雄型の端子（１２）を電気的に短絡する短絡金具（４３）とを備えてなり，
前記雄コネクタ（２）は、フード部（７）の上壁（１３）に矩形状の開口部（１４）を設けるとともに該開口部（１４）内の後端側に左右一対のばね受け部（１７）を形成してなる合成樹脂製の雄型コネクタハウジング（６）と、前記左右一対のばね受け部（１７）内にそれぞれ装着される圧縮コイルバネ（１８）と、前記雄型コネクタハウジング（６）の複数の端子収容室（８）内に挿入係止される複数の雌型の端子（９）と、前記フード部（７）の内側で前記複数の雌型の端子（９）の前側に位置するフロントホルダー（３１）とを備えてなり，
前記雄型コネクタハウジング（６）は、前記開口部（１４）に連通するとともに前部開口（１６）を介して前記スライダ（４）が前後方向スライド自在に挿入される内側空間（１５）と、該内側空間（１５）が上側となる中間壁（３７）と、該中間壁（３７）の長手方向中間部において上向きとなるガイド突起（３６）と、先端部に上向きの当接突起（３９）及び雌型コネクタハウジング（１０）に対する下向きのロック突起（２９）を有し且つ前記先端部の両側にロック解除用の一対の従接突起（４０）を有して前記中間壁（３７）に一体化する可撓性のロックアーム（３８）とを設けてなり，
前記フロントホルダー（３１）は、前記短絡金具（４３）によって短絡された前記複数の雄型の端子（１２）の短絡解除を行う絶縁片（４７）を設けてなり，
前記スライダ（４）は、該スライダ（４）の後部に位置する後退操作用の上向きの突部（２２）と、前記スライダ（４）の中間部に位置する逆コ字状の可撓性の当接アーム（２４）と、該当接アーム（２４）の左右両側に位置し前記雌コネクタ（３）の一対の当接突起（５）が当接する下向きの一対の当接突起（２５）と、内側に前記当接アーム（２４）の基部が位置するとともに前記圧縮コイルバネ（１８）が当接する後段部（２６）と、前記スライダ（４）の前側に位置し該スライダ（４）が後退すると前記従接突起（４０）に接して前記ロックアーム（３８）が上向きに撓む一対の第一のガイド傾斜部（２７）と、該一対の第一のガイド傾斜部（２７）の内側であって該一対の第一のガイド傾斜部（２７）の前側に位置し該一対の第一のガイド傾斜部（２７）よりも急勾配で前記ロック突起（２９）に接すると前記ロックアーム（３８）がさらに上向きに撓む第二のガイド傾斜部（３８）とを設けてなり，
さらに、前記スライダ（４）は、前記コネクタ嵌合方向（Ｑ）に直交する前記スライダ（４）の上下左右の四方向にそれぞれ突出し且つ前記コネクタ嵌合方向（Ｑ）から前記雄型コネクタハウジング（６）に当接する第一〜第四の停止突起（６２、６２、６１、６３、６３）を一体に形成してなり，
該第一〜第四の停止突起（６２、６２、６１、６３、６３）は、前記バネ付勢に対して形成するものであって、前記第一の停止突起（６１）は、前記突部（２２）の下側で前記ガイド突起（３６）の当接面（３６ｂ）に当接する前側の垂直な当接面（６１ａ）を有する下向きの形状に形成してなり，
前記第二の停止突起（６２、６２）は、前記スライダ（４）の前抜け防止用であって前記一対の第一のガイド傾斜部（２７）の外側に位置し垂直又は傾けた当接面（６２ａ）を有して該当接面（６２ａ）が前記開口部（１４）の前側の当接面（１４ａ）に当接する上向きの形状に形成してなり，
前記第三の停止突起（６３）、前記第四の停止突起（６３）は、前記スライダ（４）の前記中間部の左右両側に位置し前記内側空間（１５）において前記雄型コネクタハウジング（６）に当接する左向き、右向きの形状に形成してなる
ことを特徴とする半嵌合検知コネクタ。
【発明の詳細な説明】
【０００１  】
【発明の属する技術分野】
本発明は、一方のコネクタ内のバネ付勢されたスライダの作用により他方のコネクタとの半嵌合を検知する半嵌合検知コネクタに関する。
【０００２  】
【従来の技術】
図１７及び図１８には、特開平１０−２８９７５６号公報に開示された従来の半嵌合検知コネクタが示されている。図１７において、引用符号１０１は雄側のコネクタ、引用符号１０２は雌側のコネクタを示している。
【０００３  】
雄側のコネクタ１０１は、合成樹脂製のコネクタハウジング１０３内に雌型の端子１０４を有しており、雌側のコネクタ１０２は、合成樹脂製のコネクタハウジング１０５内に雄型の端子１０６を有している。また、雄側のコネクタハウジング１０３は、外側に合成樹脂製のフード部１０７を一体に有している。雌側のコネクタは１０２は、雄側のコネクタハウジング１０３を嵌合させるコネクタ嵌合室１０８を有しており、そのコネクタ嵌合室１０８内には、雌型の端子１０４に対する接触用のタブ部１０６ａが突出するように配置されている。尚、本明細書において、雌型の端子１０４を有する方を雄側のコネクタ１０１、雄型の端子１０６を有する方を雌側のコネクタ１０２と定義するものとする。
【０００４  】
雄側のコネクタハウジング１０３のフード部１０７内には、コネクタ半嵌合検知用の合成樹脂製のスライダ１０９が前後方向（コネクタ嵌合離脱方向）にスライド自在に設けられている。そのスライダ１０９は、雄側のコネクタハウジング１０３の上部に位置しており、フード部１０７内の圧縮コイルバネ１１０によって前方向に付勢されている。スライダ１０９は、後端側に操作突部１１１と下向きの停止突起１１２とを有している。また、中間部に水平方向の可撓性の当接アーム１１３を、前端側に水平方向の当接壁１１５を有している。当接アーム１１３は、前端側に下向きの当接突起１１４を有しており、その当接突起１１４は、後側に摺接用の傾斜面を有している。当接アーム１１３は、上下方向に撓むようになっている。
【０００５  】
フード部１０７の長手方向中間部には、スライダ１０９の停止突起１１２を当接させる停止兼案内用のガイド突起１１６が上向きに設けられており、そのガイド突起１１６の前方には、可撓性を有するロックアーム１１７が延設されている。ロックアーム１１７の先端には、雌側のコネクタ１０２の上向きのロック突起１１９を係合させる下向きのロック突起１１８が設けられている。また、ロック突起１１８の上側には、撓み防止用の当接突起１２０が設けられている。その当接突起１２０は、水平な当接壁１１５の下面に当接してロックアーム１１７の上方への撓みを阻止するようになっている。
【０００６  】
雌側のコネクタ１０２には、上記ロック突起１１９がコネクタ嵌合室１０８の上壁の後よりに設けられている。また、ロック突起１１９の前方には、スライダ１０９の当接突起１１４に対する上向きの当接突起１２１が設けられている。各ロック突起１１８、１１９は、各コネクタ１０１、１０２の幅方向中央に設けられており、各当接突起１１４、１２１は、各コネクタ１０１、１０２の幅方向両側に設けられている。
【０００７  】
上記構成において、図１７の状態から各コネクタ１０１、１０２を初期嵌合させると、各当接突起１１４、１２１が当接し、さらに各コネクタ１０１、１０２のコネクタ嵌合を進めると、スライダ１０９が押されて後退する。この時、圧縮コイルバネ１１０が圧縮状態になる。スライダ１０９の当接壁１１５は、ロックアーム１１７の上向きの当接突起１２０から後方へ離間する。そして、当接突起１１４の上記傾斜面がガイド突起１１６の傾斜面に摺接することで、スライダ１０９の当接アーム１１３が上向きに撓み、それによって各当接突起１１４、１２１の突き当てが解除される。そして、各コネクタ１０１、１０２のロック突起１１８、１１９が当接してロックアーム１１７が上向きに撓み、さらに各コネクタ１０１、１０２の嵌合が進むと、ロック突起１１８がロック突起１１９を乗り越えて復元し、図１８に示される如く、各コネクタ１０１、１０２の完全嵌合と同時に各ロック突起１１８、１１９が係合して、各コネクタ１０１、１０２がロックされる。これにより各コネクタ１０１、１０２の雌型の端子１０４、雄型の端子１０６は、相互に電気的に接続される。
【０００８  】
尚、各コネクタ１０１、１０２の嵌合途中においては、スライダ１０９が圧縮コイルバネ１１０によりコネクタ離脱方向に押圧され、且つ各当接突起１１４、１２１が突き当たった状態となっていることから、各コネクタ１０１、１０２が半嵌合（不完全嵌合）である場合には、雌側のコネクタ１０２が圧縮コイルバネ１１０の力で雄側のコネクタ１０１から押し出される。これにより、各コネクタ１０１、１０２の半嵌合が検知される。そして、作業者が再度、雌側のコネクタ１０２を押し込むことにより各コネクタ１０１、１０２が完全嵌合する。
【０００９  】
【発明が解決しようとする課題】
ところで上記従来技術にあっては、圧縮コイルバネ１１０の力で雌側のコネクタ１０２を雄側のコネクタ１０１から押し出して半嵌合を検知するようになっていることから、その検知を確実にするために圧縮コイルバネ１１０の反発力を大きく設定する必要があった。そのため、各コネクタ１０１、１０２の完全嵌合と同時にスライダ１０９の位置が元の位置に戻り、スライダ１０９の停止突起１１２がガイド突起１１６に突き当たると、そのガイド突起１１６に圧縮コイルバネ１１０の力が集中して破損してしまう恐れがあった（破損が生じるとスライダ１０９がコネクタハウジング１０３から抜け落ちてしまうことにもなる）。
【００１０  】
また、スライダ１０９をスライド自在に設けるために設計上、ガタを持たせていることから、そのガタを考慮した上で停止突起１１２とガイド突起１１６との突き当たる面の面積を確保しなければ上記の破損の恐れが一層大きくなってしまうという問題点もあった。
【００１１  】
本発明は、上述した事情に鑑みてなされるもので、スライダ及び／又はコネクタハウジングの破損を防止することが可能な半嵌合検知コネクタを提供することを課題とする。
【００１２】
【課題を解決するための手段】
上記課題を解決するためなされた請求項１記載の本発明の半嵌合検知コネクタは、コネクタ嵌合方向（Ｑ）にバネ付勢され且つ該バネ付勢に抗してコネクタ離脱方向（Ｒ）に移動する機械的な半嵌合検知装置としての合成樹脂製のスライダ（４）を有する雄コネクタ（２）と、前記スライダ（４）を前記コネクタ離脱方向（Ｒ）にスライドさせつつ前記雄コネクタ（２）にコネクタ嵌合する雌コネクタ（３）とを備え、前記スライダ（４）の作用によって前記雄コネクタ（２）と前記雌コネクタ（３）との半嵌合を検知する半嵌合検知コネクタ（１）であって，前記雌コネクタ（３）は、コネクタ嵌合室（１１）を有する合成樹脂製の雌型コネクタハウジング（１０）と、該雌型コネクタハウジング（１０）の後部から収容係止される複数の雄型の端子（１２）と、該複数の雄型の端子（１２）を電気的に短絡する短絡金具（４３）とを備えてなり，前記雄コネクタ（２）は、フード部（７）の上壁（１３）に矩形状の開口部（１４）を設けるとともに該開口部（１４）内の後端側に左右一対のばね受け部（１７）を形成してなる合成樹脂製の雄型コネクタハウジング（６）と、前記左右一対のばね受け部（１７）内にそれぞれ装着される圧縮コイルバネ（１８）と、前記雄型コネクタハウジング（６）の複数の端子収容室（８）内に挿入係止される複数の雌型の端子（９）と、前記フード部（７）の内側で前記複数の雌型の端子（９）の前側に位置するフロントホルダー（３１）とを備えてなり，前記雄型コネクタハウジング（６）は、前記開口部（１４）に連通するとともに前部開口（１６）を介して前記スライダ（４）が前後方向スライド自在に挿入される内側空間（１５）と、該内側空間（１５）が上側となる中間壁（３７）と、該中間壁（３７）の長手方向中間部において上向きとなるガイド突起（３６）と、先端部に上向きの当接突起（３９）及び雌型コネクタハウジング（１０）に対する下向きのロック突起（２９）を有し且つ前記先端部の両側にロック解除用の一対の従接突起（４０）を有して前記中間壁（３７）に一体化する可撓性のロックアーム（３８）とを設けてなり，前記フロントホルダー（３１）は、前記短絡金具（４３）によって短絡された前記複数の雄型の端子（１２）の短絡解除を行う絶縁片（４７）を設けてなり，前記スライダ（４）は、該スライダ（４）の後部に位置する後退操作用の上向きの突部（２２）と、前記スライダ（４）の中間部に位置する逆コ字状の可撓性の当接アーム（２４）と、該当接アーム（２４）の左右両側に位置し前記雌コネクタ（３）の一対の当接突起（５）が当接する下向きの一対の当接突起（２５）と、内側に前記当接アーム（２４）の基部が位置するとともに前記圧縮コイルバネ（１８）が当接する後段部（２６）と、前記スライダ（４）の前側に位置し該スライダ（４）が後退すると前記従接突起（４０）に接して前記ロックアーム（３８）が上向きに撓む一対の第一のガイド傾斜部（２７）と、該一対の第一のガイド傾斜部（２７）の内側であって該一対の第一のガイド傾斜部（２７）の前側に位置し該一対の第一のガイド傾斜部（２７）よりも急勾配で前記ロック突起（２９）に接すると前記ロックアーム（３８）がさらに上向きに撓む第二のガイド傾斜部（３８）とを設けてなり，さらに、前記スライダ（４）は、前記コネクタ嵌合方向（Ｑ）に直交する前記スライダ（４）の上下左右の四方向にそれぞれ突出し且つ前記コネクタ嵌合方向（Ｑ）から前記雄型コネクタハウジング（６）に当接する第一〜第四の停止突起（６２、６２、６１、６３、６３）を一体に形成してなり，該第一〜第四の停止突起（６２、６２、６１、６３、６３）は、前記バネ付勢に対して形成するものであって、前記第一の停止突起（６１）は、前記突部（２２）の下側で前記ガイド突起（３６）の当接面（３６ｂ）に当接する前側の垂直な当接面（６１ａ）を有する下向きの形状に形成してなり，前記第二の停止突起（６２、６２）は、前記スライダ（４）の前抜け防止用であって前記一対の第一のガイド傾斜部（２７）の外側に位置し垂直又は傾けた当接面（６２ａ）を有して該当接面（６２ａ）が前記開口部（１４）の前側の当接面（１４ａ）に当接する上向きの形状に形成してなり，前記第三の停止突起（６３）、前記第四の停止突起（６３）は、前記スライダ（４）の前記中間部の左右両側に位置し前記内側空間（１５）において前記雄型コネクタハウジング（６）に当接する左向き、右向きの形状に形成してなることを特徴としている。
【００１４】
請求項１に記載された本発明によれば、スライダに少なくとも四つの停止突起が形成される。また、スライダとコネクタハウジングとのガタが生じる方向に上記停止突起がそれぞれ形成され、コネクタハウジングに当接する停止突起の当接面が、四方向における対応する方向に対し傾けて形成される。これにより、コネクタハウジングに当接する面積が十分に確保される。すなわち、他方のコネクタによってコネクタ離脱方向にスライドさせられたスライダが元の位置に戻ると、スライダの上下左右の四方向にそれぞれ形成された少なくとも四つの停止突起が一方のコネクタのコネクタハウジングに必要十分の面積を持って当接する。また、停止突起の当接面の傾きによって、停止突起とコネクタハウジングとの当接による衝撃の受け方を変えることが可能になる。
【００１６  】
【発明の実施の形態】
以下、図面を参照して本発明の実施の形態を説明する。
図１は本発明の半嵌合検知コネクタの一実施の形態を示す外観斜視図である。また、図２は雄コネクタの分解斜視図、図３は雌コネクタの分解斜視図、図４は半嵌合検知コネクタの断面図、図５は雄型コネクタハウジングの正面図、図６は雄型コネクタハウジングの断面図、図７は雌型コネクタハウジングの正面図、図８は雌型コネクタハウジングの断面図である。
【００１７  】
図１において、例えば、自動車のエアバック等の配線系統に使用される半嵌合検知コネクタ１は、機械的な半嵌合検知装置としての合成樹脂製のスライダ４を有する雄コネクタ２と、スライダ４に押圧される一対の当接突起５、５を有する雌コネクタ３とを備えて構成されている。ここで、雄コネクタ２は特許請求の範囲に記載した一方のコネクタに、また、雌コネクタ３は同じく他方のコネクタに相当するものとする。
【００１８  】
雄コネクタ２は、フード部７を有する合成樹脂製の雄型コネクタハウジング６（特許請求の範囲に記載したコネクタハウジングに相当）と、その雄型コネクタハウジング６の複数の端子収容室８内に挿入係止される複数の雌型の端子９（図４参照）とを備えている。これに対し雌コネクタ３は、コネクタ嵌合室１１を有する合成樹脂製の雌型コネクタハウジング１０と、雌型コネクタハウジング１０の後部側から収容され係止される複数の雄型の端子１２（図４参照）と、その雄型の端子１２を短絡する電気的な半嵌合検知装置としての短絡金具４３（図３参照）とを備えている。また、雄型コネクタハウジング６には、電気的な半嵌合検知装置の他方となる絶縁片４７（図４参照）が形成されている。
【００１９  】
もう少し詳しく説明すると、雄コネクタ２のフード部７の上壁１３には、矩形状の開口部１４が設けられている。また、その開口部１４の内側空間１５（図２参照）には、前部開口１６（図４参照）からスライダ４が前後方向スライド自在に挿入されている。さらに、開口部１４内の後端側には、左右一対のばね受け部１７、１７が（図５参照）が形成されている。そして、前部開口１６（図４参照）からばね受け部１７、１７内に圧縮コイルバネ（特許請求の範囲に記載したバネ付勢を生じさせるもの。反発力の高いゴム材のような他の弾性部材であってもよい）１８、１８（図２参照）がそれぞれ装着されている。尚、引用符号１４ａはスライダ４に対する開口部１４の当接面を示している。
【００２０  】
一方、雌型コネクタハウジング１０には、その上壁１９の長手方向中間部に上記一対の当接突起５、５が並列に設けられている。また当接突起５、５の後方であって上壁１９の幅方向中央には、雄コネクタ２に対するロック突起２０が設けられている。当接突起５、５には、前側の垂直な当接面５ａ、５ａと後側の傾斜面５ｂ、５ｂとがそれぞれ形成されており、ロック突起２０には、前側の傾斜面２０ａと後側の垂直な係止面２０ｂとが形成されている。当接突起５、５の幅方向外側には、雄コネクタ２に対する位置決めガイド用の突条２１、２１が設けられている。
【００２１  】
図２において、スライダ４は、その後側に後退操作用の上向きの突部２２と、突部２２の下側に形成された停止突起６１（図４参照）とを有している。また、中間部に逆コ字状に形成された可撓性の当接アーム２４を有している。その当接アーム２４の前端の左右両側には、下向きの当接突起２５、２５（図４参照）が設けられている。また、当接アーム２４の基部は、後段部２６の内側に位置しており、その後段部２６には、圧縮コイルバネ１８、１８の前端が当接するようになっている。
【００２２  】
スライダ４の前側には、一対の第一のガイド傾斜部２７、２７（図４参照）が形成されている。また、一対の第一のガイド傾斜部２７、２７の内側であって前側には、第二のガイド傾斜部２８が形成されている。これら両ガイド傾斜部２７、２８は後下がりに傾斜しており、第二のガイド傾斜部２８の傾斜角度が第一のガイド傾斜部２７のそれよりも急勾配に形成されている。されに、一対の第一のガイド傾斜部２７、２７の外側であって中間から後側には、一対の前抜け防止用の停止突起６２、６２が上向きに形成されている。その停止突起６２、６２は、側面視略三角形状であって当接面６２ａ、６２ａが雄型コネクタハウジング６の当接面１４ａに当接するように形成されている。
【００２３  】
一方、スライダ４の下面側には、前端から上記当接突起２５、２５（図４参照）にかけて一対のガイド溝（図示せず）が形成されている。そのガイド溝には、雌型コネクタハウジング１０（図１及び図３参照）の当接突起５、５が進入するようになっている。また、スライダ４の中間部の左右両端側には、前抜け防止用の停止突起６３、６３が設けられている。その停止突起６３、６３は、雄型コネクタハウジング６の当接突起６４、６４（図６参照）に当接するように形成されている。
【００２４  】
スライダ４には、上下左右の四つの方向に突出する停止突起６２、６２、６１、６３、６３が形成されていることになる。尚、上下左右の四つの方向は、コネクタ嵌合離脱方向Ｐ（コネクタ嵌合方向Ｑ、コネクタ離脱方向Ｒ）に直交するものとする。また、上下左右の四つの方向は、スライダ４の雄型コネクタハウジング６に対する設計上のガタが生じる方向に一致するものとする。
【００２５  】
図１に戻り雌型コネクタハウジング１０のロック突起２０は、雄型コネクタハウジング６の下向きのロック突起２９に対向するように形成されている。
【００２６  】
図４において、雄コネクタ２は、フード部７の内側であって且つ下方にフロントホルダ３１付きの内側ハウジング３２を有している。その内側ハウジング３２内には、電線３３付きの上記雌型の端子９が係止されている。電線３３には、防水ゴム栓３４が外挿されており、内側ハウジング３２の外側には、パッキン３５が装着されている。また、フード部７の内側であって且つ上方には、スライダ４が前後方向（図２のコネクタ嵌合離脱方向Ｐに相当）にスライド自在に設けられている。
【００２７  】
スライダ４は、圧縮コイルバネ１８、１８（図２参照）で前向き（図２のコネクタ嵌合方向Ｑ）にバネ付勢されている。停止突起６１には、前側に垂直な当接面６１ａ、後側に傾斜面６１ｂが形成されている。その傾斜面６１ｂは、スライダ４をフード部７内に装着する際に、フード部７側の停止兼案内用のガイド突起３６をスムーズに乗り越えるために形成されている。ガイド突起３６は、フード部７内の水平な中間壁３７の長手方向中間部において上向きに設けられており、前側に傾斜面３６ａが、後側にスライダ４の当接面６１ａに対する当接面３６ｂが形成されている。尚、中間壁３７の上側には、上記内側空間１５が設けられている。また、中間壁３７の前半側は大きく切欠され、その切欠部内には可撓性のロックアーム３８（図６参照）が中間壁３７と一体且つ前向きに延長形成されている。
【００２８  】
ロックアーム３８は、先端部に下向きのロック突起２９と上向きの当接突起３９とを有している。また、先端部の両側にロック解除用の一対の従接突起４０、４０を有している。ロック突起２９には、前側の傾斜面２９ａと、後側の垂直ないしは若干前向きに傾斜した係止面２９ｂとが形成されており、当接突起３９には、上側に後下がりの傾斜面３９ａが形成されている。また、従接突起４０、４０には下側に後上がりの傾斜面４０ａ、４０ａが形成されている。尚、ロックアーム３８の先端部は、フード部７の前端と中間ハウジング３２の前端とのほぼ中間に位置するようになっている。
【００２９  】
スライダ４の当接アーム２４の前方には、当接壁４１が形成されている。また、その当接壁４１の前方には、上記第一のガイド傾斜部２７、２７及び停止突起６２、６２が、第一のガイド傾斜部２７、２７のさらに前方には、上記第二のガイド傾斜部２８が形成されている。スライダ４の当接突起２５、２５には、垂直な前側の当接面２５ａ、２５ａと後側の傾斜面２５ｂ、２５ｂとが形成されている。
【００３０  】
当接突起２５、２５は、停止突起６１とガイド突起３６とが当接した状態で、ロックアーム３８の両側においてロック突起２９の後方に位置している。また当接突起２５、２５の下端は、ロックアーム３８の下面と同一面に位置している。一方、当接壁４１は、ロックアーム３８の当接突起３９に接する後下がりの傾斜面４１ａを下側に有して断面略くさび状に形成されている。他方、第一のガイド傾斜部２７、２７は、ロックアーム３８の従接突起４０、４０の前方に対向して位置しており、第二のガイド傾斜部２８は、ロックアーム３８の前端に対向して、ロック突起２９の斜め上方に位置している。
【００３１  】
雄型コネクタコネクタハウジング６の絶縁片４７は、短絡金具４３によって短絡された雄型の端子１２の短絡解除を行う部分として形成されている（図５及び図６参照）。また、下側の短絡解除部と上側の補助部とで上下二段に形成されている（図５参照）。その段は、短絡金具４３の後述する短絡部５２及び補助部５３の段に合わせて複数形成されている（図５参照）。
【００３２  】
雌型コネクタハウジング１０のフロントホルダ４２で画成された各端子収容室には、雄型の各端子１２の後半部が収容されている。また、各端子１２の前半部のタブ部１２ａは、コネクタ嵌合室１１内に突出するように配置されている。各端子１２は、導電性の短絡金具４３により短絡されている。また、各端子１２に圧着された電線４４には、防水ゴム栓４５が挿着されている。尚、雌型コネクタハウジング１０の下部は、固定アーム４６で車体や機器等（図示せず）に固定されるようになっている。
【００３３  】
短絡金具４３は、雌型コネクタハウジング１０に形成された収容室５０（図７又は図８参照）に収容されている。また、図３に示される如く、複数の弾性アーム５１を有している。その弾性アーム５１は、雄型の端子１２（図４参照）に対応するように配置形成されており、先端には、共に移動する短絡部５２と補助部５３とが側面視略へ字状且つ正面視上下二段に形成されている。短絡部５２は、補助部５３よりも下方に位置するように形成されている。尚、引用符号５４は短絡金具４３を収容室５０（図７又は図８参照）に収容する際に用いられる押し込み用の壁を示している。短絡部５２と補助部５３の各先端は、その押し込み用の壁５４よりも内側に位置しており、短絡金具４３の収容の際に保護されるようになっている。
【００３４  】
上記構成において、図９〜図１５を参照しながら上記半嵌合検知コネクタ１の作用を説明する。
【００３５  】
図９において、先ず、雄コネクタ２と雌コネクタ３とが初期嵌合すると、雌コネクタ３の当接突起５、５がスライダ４の当接アーム２４の当接突起２５、２５に当接し始める。この時、複数の雄型の端子１２のタブ部１２ａは、未だ対応する複数の雌型の端子９の電気接触部９ａに接触しておらず、コネクタ嵌合室１１の底部（奥部）と内側ハウジング３２の前端との間には、大きな隙間Ｌが存在する。
【００３６  】
また、スライダ４は、圧縮コイルバネ１８、１８によって前方（図２のコネクタ嵌合方向Ｑ）に付勢された状態にある。その圧縮コイルバネ１８、１８は予圧縮のままであり、変位はない。さらに、スライダ４の上側の停止突起６２、６２が雄型コネクタハウジング６の当接面１４ａに当接し、スライダ４の左右両側の停止突起６３、６３が雄型コネクタハウジング６の停止突起６４、６４（一方のみ図示）に当接し、且つスライダ４の後部下側の停止突起６１がガイド突起３６に当接する。スライダ４の前端位置は、これら上下左右の四つの方向に突出する停止突起６２、６２、６１、６３、６３により規定される。
【００３７  】
次に、図１０に示される如く、雌コネクタ３の当接突起５、５がスライダ４の当接突起２５、２５を押すと、スライダ４が圧縮コイルバネ１８、１８を圧縮させつつ後退する。この時、雌コネクタ３のロック突起２０が雄コネクタ２のロックアーム３８のロック突起２９に当接する。また、スライダ４の第一のガイド傾斜部２７、２７がロックアーム３８の従接突起４０、４０に接する。そして、従接突起４０、４０が第一のガイド傾斜部２７、２７に沿って上昇し、これに伴ってロックアーム３８が上向きに撓む。また、雄型の端子１２が雌型の端子９に接触する。尚、スライダ４の停止突起６２、６２、６１、６３、６３の雄型コネクタハウジング６に対する当接は解除される。
【００３８  】
続いて、図１１に示される如く、スライダ４が後退すると、ロックアーム３８のロック突起２９が第二のガイド傾斜部２８に沿って上向きに摺接し、これに伴ってロックアーム３８がさらに上向きに撓む。そしてロックアーム３８のロック突起２９が雌コネクタ３のロック突起２０の上側を通過してそのロック突起２０の斜め前方上側に位置する。
【００３９  】
すなわち、従接突起４０、４０が第一のガイド傾斜部２７、２７に沿って上昇すると、ロック突起２９が第二のガイド傾斜部２８に接触する。これによってロックアーム３８が二段階で大きく撓む。また、スライダ４の当接突起２５、２５が雄コネクタ２のガイド突起３６に沿って摺接すると、これによって当接アーム２４が上向きに撓み、当接突起２５、２５と雌コネクタ３の当接突起５、５との当接が解除される。
【００４０  】
尚、その直前においては、雄型の端子１２を短絡していた短絡金具４３の弾性アーム５１の近傍に絶縁片４７が近づく。そして、これらが当接し合うと次第に絶縁片４７の上記短絡解除部が弾性アーム５１の短絡部５２（図３参照）を上方へ押し上げる。これにより短絡解除が行われる。弾性アーム５１の補助部５３（図３参照）は、短絡部５２（図３参照）と共に上方へ移動し、その下側には絶縁片４７の上記補助部が入り込む。
【００４１  】
仮に、何らかの要因で絶縁片４７の上記短絡解除部が変形又は破損しても、絶縁片４７の上記補助部が弾性アーム５１の補助部５３（図３参照）に当接してこれを押し上げ、上述の如く補助部５３（図３参照）と共に上方へ移動する短絡部５２（図３参照）と、雄型の端子１２との短絡を解除する。
【００４２  】
続いてさらに、図１２に示される如く、両コネクタ２、３が隙間なく完全に結合（完全嵌合）し、両端子９、１２も完全に接触すると、両当接突起５、５、及び２５、２５の当接が解除されスライダ４が圧縮コイルバネ１８、１８の付勢力により前方に押し戻される。これにより、スライダ４は図４の初期状態に復帰する。
この時、スライダ４の当接突起２５、２５が雌コネクタ３の当接突起５、５を乗り越えて前方に移動する。また、スライダ４と一体に第二のガイド傾斜部２８が前方に移動すると、ロックアーム３８のロック突起２９と第二のガイド傾斜部２８との当接が解除され、ロックアーム３８が弾性的に水平方向に復元し、ロック突起２９が雌コネクタ３のロック突起２０に係合する。すなわち両ロック突起２０、２９の係止面２０ｂ、２９ｂが対向して接し、両コネクタ２、３がロックされる。さらに、スライダ４の停止突起６２、６２、６１、６３、６３が雄型コネクタハウジング６の所定箇所に当接する。これにより、スライダ４の前端位置が規定される。スライダ４の停止突起６２、６２、６１、６３、６３は、雄型コネクタハウジング６に対して必要十分な面積を持って当接する（圧縮コイルバネ１８、１８の付勢力（反発力）によってスライダ４及び雄型コネクタハウジング６に破損が生じてしまうことはない）。
【００４３  】
尚、スライダ４の当接壁４１がロックアーム３８の当接突起３９の上側の傾斜面３９ａに当接すると、ロックアーム３８の撓みが阻止される。特に、当接壁４１と当接突起３９とがそれらの後下がりの傾斜面３９ａ、４１ａで隙間なく確実に当接すると、不意なロック解除が確実に防止される。これはスライダ４が圧縮コイルバネ１８、１８により前向きに付勢され、その付勢力で当接壁４１の傾斜面４１ａが当接突起３９の傾斜面３９ａに押しつけられるからに他ならない。
【００４４  】
ところで、図１０の半嵌合検知コネクタ１の途中結合状態において、作業者がその結合をやめた場合には、スライダ４の当接突起２５、２５が雌コネクタ３の当接突起５、５に当接していることから、圧縮コイルバネ１８、１８の圧縮により生じた反発力によって雌コネクタ３が雄コネクタ２から押し出されて半嵌合検知コネクタ１の半嵌合が検知される。これは図１１の状態で未だロックがされていない場合においても同様であり、図１０〜図１１の過程においても同様である。また、作業者が結合をやめた場合、雄型の端子１２の短絡が解除されてない状態にあることから、同様に半嵌合検知コネクタ１の半嵌合が電気的に検知される。
【００４５  】
尚、図１０〜図１１の過程においてロックアーム３８が第二のガイド傾斜部２８に沿って持ち上げられて、両ロック突起２０、２９同士の接触がなくなることから、摩擦抵抗が減少し、圧縮コイルバネ１８、１８の反発力によって雌コネクタ３がスムーズ且つ確実に押し出される。
【００４６  】
次に、図１２のコネクタ嵌合状態からのコネクタ２、３の離脱について説明する。図１３に示される如く、スライダ４の操作用の突部を手指で矢印イの如く後方（図２のコネクタ離脱方向Ｒ）に引いて、スライダ４を後退させると、スライダ４の第一のガイド傾斜部２７、２７がロックアーム３８の従接突起４０、４０を摺接する。また、この時、スライダ４の当接突起２５、２５の後側の傾斜面２５ｂ、２５ｂが雌コネクタ３の当接突起５、５の後側の傾斜面５ｂ、５ｂを摺接する。
【００４７  】
そして、図１４に示される如く、ロックアーム３８のロック突起２９がスライダ４の第二のガイド傾斜部２８によって押し上げられ、ロックアーム３８が上向きに大きく撓むと、当接アーム２４の当接突起２５、２５が雌コネクタ３の当接突起５、５に乗り上げる。また、両ロック突起２０、２９が上下に離間し、コネクタ２、３のロックが解除される。尚、スライダ４は操作用の突部２２が手指で後方へ引かれた状態にある。
【００４８  】
そして、両コネクタ２、３を手で図１５の如くコネクタ離脱方向に引っ張ると、両コネクタ２、３が離脱し、両端子９、１２の接続が解除される。スライダ４は突部２２から手指を離すことにより圧縮コイルバネ１８、１８の反発力によって前方へ復帰し、停止突起６２、６２、６１、６３、６３により位置が規定される。また、絶縁片４７が離脱し、雄型の端子１２が短絡金具４３により短絡される。
【００４９  】
その他、本発明は本発明の主旨を変えない範囲で種々変更実施可能なことは勿論である。すなわち、例えば図１６に示される如く、停止突起６２の垂直な当接面６２ａを前方又は後方にｄθ（僅かな角度とする）だけ傾けて、雄型コネクタハウジング６との当接による衝撃の受け方を適宜変えるようにしてもよいものとする。
【００５０】
【発明の効果】
以上説明したように、請求項１に記載された本発明によれば、スライダの上下左右の四方向にそれぞれ形成された少なくとも四つの停止突起と、一方のコネクタのコネクタハウジングとを必要十分の面積を持って当接させることができる。従って、他方のコネクタによりコネクタ離脱方向にスライドさせられたスライダが元の位置に戻った際のスライダ及び／又はコネクタハウジングの破損を防止することができる。
また、停止突起の係止面の傾きによって、停止突起とコネクタハウジングとの当接による衝撃の受け方を変えることができるという効果を奏する。
【図面の簡単な説明】
【図１】本発明による半嵌合検知コネクタの一実施の形態を示す外観斜視図である。
【図２】雄コネクタの分解斜視図である。
【図３】雌コネクタの分解斜視図である。
【図４】半嵌合検知コネクタの断面図である。
【図５】雄型コネクタハウジングの正面図である。
【図６】雄型コネクタハウジングの断面図である。
【図７】雌型コネクタハウジングの正面図である。
【図８】雌型コネクタハウジングの断面図である。
【図９】半嵌合検知コネクタの初期嵌合状態を示す図面であり、（ａ）は平面図、（ｂ）は断面図である。
【図１０】半嵌合検知コネクタのロック開始状態を示す図面であり、（ａ）は平面図、（ｂ）は断面図である。
【図１１】半嵌合検知コネクタのロック直前の状態を示す図面であり、（ａ）は平面図、（ｂ）は断面図である。
【図１２】半嵌合検知コネクタの完全嵌合状態を示す図面であり、（ａ）は平面図、（ｂ）は断面図である。
【図１３】半嵌合検知コネクタのロック解除開始の状態を示す図面であり、（ａ）は平面図、（ｂ）は断面図である。
【図１４】半嵌合検知コネクタのロック解除状態を示す図面であり、（ａ）は平面図、（ｂ）は断面図である。
【図１５】半嵌合検知コネクタの離脱状態を示す図面であり、（ａ）は平面図、（ｂ）は断面図である。
【図１６】停止突起の他の例に対する説明図である。
【図１７】従来例の半嵌合検知コネクタの離脱状態を示す断面図である。
【図１８】従来例の半嵌合検知コネクタの完全嵌合状態を示す断面図である。
【符号の説明】
１  半嵌合検知コネクタ
２  雄コネクタ（一方のコネクタ）
３  雌コネクタ（他方のコネクタ）
４  スライダ
６  雄型コネクタハウジング（コネクタハウジング）
９  雌型の端子
１０  雌型コネクタハウジング
１２  雄型の端子
６１、６２、６３  停止突起
【図１】
0004010531.tif 000002
【図２】
0004010531.tif 000003
【図３】
0004010531.tif 000004
【図４】
0004010531.tif 000005
【図５】
0004010531.tif 000006
【図６】
0004010531.tif 000007
【図７】
0004010531.tif 000008
【図８】
0004010531.tif 000009
【図９】
0004010531.tif 000010
【図１０】
0004010531.tif 000011
【図１１】
0004010531.tif 000012
【図１２】
0004010531.tif 000013
【図１３】
0004010531.tif 000014
【図１４】
0004010531.tif 000015
【図１５】
0004010531.tif 000016
【図１６】
0004010531.tif 000017
【図１７】
0004010531.tif 000018
【図１８】
0004010531.tif 000019